(57)【要約】【課題】ライタを必要とせずに情報の書き込みが可能なＩＣカードを提供する。【解決手段】ＩＣカード１１は、カード本体１２に内蔵されたＩＣチップ１３、アンテナ１４および複数の回線１５と、各回線１５の先端に接続された端子１６，１７と、カード本体１２の表面に貼り付けられて端子１６，１７を相互に導通させる導電性シール１８とを備える。複数の導電性シール１８のうちの任意の導電性シール１８を剥がすと、剥がした導電性シール１８に対応する回線１５の導通が遮断され、ＩＣチップ１３は複数の回線１５の導通遮断状態に応じた信号を読み取り機に送信するので、特別のライタを必要とせずに導電性シール１８を剥がすだけで情報の書き込みが可能になって利便性が大幅に向上する。【選択図】      図２
2005038078.tif 000002
【特許請求の範囲】
【請求項１】
カード本体（１２）にＩＣチップ（１３）およびアンテナ（１４）を内蔵し、ＩＣチップ（１３）に記憶された情報を読み取り機により非接触で読み取り可能なＩＣカードにおいて、
カード本体（１２）の表面に備えられた回線切り替え部（１６，１７）と、
ＩＣチップ（１３）に接続され、回線切り替え部（１６，１７）の切り替えにより導通遮断状態が切り替わる回線（１５）とを備え、
ＩＣチップ（１３）は回線（１５）の導通遮断状態に応じた信号を記憶された情報として読み取り機に送信可能なことを特徴とするＩＣカード。
【請求項２】
カード本体（１２）にＩＣチップ（１３）およびアンテナ（１４）を内蔵し、ＩＣチップ（１３）に記憶された情報を読み取り機により非接触で読み取り可能なＩＣカードにおいて、
カード本体（１２）の表面に貼られた導電性シール（１８）と、
ＩＣチップ（１３）に接続され、導電性シール（１８）を剥がすことで導通が遮断される回線（１５）とを備え、
ＩＣチップ（１３）は回線（１５）の導通遮断状態に応じた信号を記憶された情報として読み取り機に送信可能なことを特徴とするＩＣカード。
【請求項３】
カード本体（１２）にＩＣチップ（１３）およびアンテナ（１４）を内蔵し、ＩＣチップ（１３）に記憶された情報を読み取り機により非接触で読み取り可能なＩＣカードにおいて、
カード本体（１２）の表面に貼られた複数の導電性シール（１８）と、
ＩＣチップ（１３）に接続され、導電性シール（１８）を剥がすことで導通が遮断される複数の回線（１５）とを備え、
ＩＣチップ（１３）は複数の回線（１５）の導通遮断状態に応じた信号を記憶された情報として読み取り機に送信可能なことを特徴とするＩＣカード。
【発明の詳細な説明】
【０００１】
【発明の属する技術分野】
本発明は、カード本体にＩＣチップおよびアンテナを内蔵し、ＩＣチップに記憶された情報を読み取り機により非接触で読み取り可能なＩＣカードに関する。
【０００２】
【従来の技術】
非接触式のリーダアンドライタを用いて情報の読み取りおよび書き込みが可能なＩＣカードやＩＣタグが、下記特許文献１および下記特許文献２により公知である。この種のＩＣカードやＩＣタグは、そのＩＣチップの内部に情報の書き込みおよび読み出しが可能なＲＡＭを備えている。
【０００３】
【特許文献１】
特開２００３−８５５０１号公報
【特許文献２】
特開２００１−２５１６８７号公報
【０００４】
【発明が解決しようとする課題】
ところで、従来のＩＣカードやＩＣタグは情報の書き込みに専用のライタが必要であったため、情報の書き込みを簡便に行えないという問題があった。
【０００５】
本発明は前述の事情に鑑みてなされたもので、ライタを必要とせずに情報の書き込みが可能なＩＣカードを提供することを目的とする。
【０００６】
【課題を解決するための手段】
上記目的を達成するために、請求項１に記載された発明によれば、カード本体にＩＣチップおよびアンテナを内蔵し、ＩＣチップに記憶された情報を読み取り機により非接触で読み取り可能なＩＣカードにおいて、カード本体の表面に備えられた回線切り替え部と、ＩＣチップに接続され、回線切り替え部の切り替えにより導通遮断状態が切り替わる回線とを備え、ＩＣチップは回線の導通遮断状態に応じた信号を記憶された情報として読み取り機に送信可能なことを特徴とするＩＣカードが提案される。
【０００７】
上記構成によれば、カード本体の表面に備えられた回線切り替え部の切り替えにより回線の導通遮断状態が切り替えられ、カード本体に内蔵されたＩＣチップは回線の導通遮断状態に応じた信号を読み取り機に送信するので、特別のライタを必要とせずに情報の書き込みが可能になって利便性が大幅に向上する。
【０００８】
また請求項２に記載された発明によれば、カード本体にＩＣチップおよびアンテナを内蔵し、ＩＣチップに記憶された情報を読み取り機により非接触で読み取り可能なＩＣカードにおいて、カード本体の表面に貼られた導電性シールと、ＩＣチップに接続され、導電性シールを剥がすことで導通が遮断される回線とを備え、ＩＣチップは回線の導通遮断状態に応じた信号を記憶された情報として読み取り機に送信可能なことを特徴とするＩＣカードが提案される。
【０００９】
上記構成によれば、カード本体の表面に貼られた導電性シールを剥がすか否かに応じて回線の導通遮断状態が切り替えられ、カード本体に内蔵されたＩＣチップは回線の導通遮断状態に応じた信号を読み取り機に送信するので、特別のライタを必要とせずに導電性シールを剥がすだけで情報の書き込みが可能になって利便性が大幅に向上する。
【００１０】
また請求項３に記載された発明によれば、カード本体にＩＣチップおよびアンテナを内蔵し、ＩＣチップに記憶された情報を読み取り機により非接触で読み取り可能なＩＣカードにおいて、カード本体の表面に貼られた複数の導電性シールと、ＩＣチップに接続され、導電性シールを剥がすことで導通が遮断される複数の回線とを備え、ＩＣチップは複数の回線の導通遮断状態に応じた信号を記憶された情報とて読み取り機に送信可能なことを特徴とするＩＣカードが提案される。
【００１１】
上記構成によれば、カード本体の表面に貼られた複数の導電性シールのうちの任意の導電性シールを剥がすと、剥がした導電性シールに対応する回線の導通が遮断され、カード本体に内蔵されたＩＣチップは複数の回線の導通遮断状態に応じた信号を読み取り機に送信するので、特別のライタを必要とせずに導電性シールを剥がすだけで情報の書き込みが可能になって利便性が大幅に向上する。
【００１２】
尚、実施例の電極１６，１７は本発明の回線切り替え部に対応する。
【００１３】
【発明の実施の形態】
以下、本発明の実施の形態を、添付図面に示した本発明の実施例に基づいて説明する。
【００１４】
図１〜図３は本発明の第１実施例を示すもので、図１はＩＣカードの正面図、図２はＩＣカードの表皮を取り除いた状態を示す図、図３はＩＣカードの導電性シールを剥がした状態を示す図である。
【００１５】
図１および図２に示すように、ＩＣカード１１は合成樹脂で長方形の板状に形成したカード本体１２を備えており、その内部にＣＰＵ、ＲＯＭ、Ｉ／Ｏ等を含むＩＣチップ１３と、外部の読み取り機との間で無線通信を行うアンテナ１４と、ＩＣチップ１３に連なる複数（実施例では１０個）の回線１５…とが埋め込まれる。各々の回線１５の先端には、相互に隣接してカード本体１２の表面に露出する一対の電極１６，１７が接続される。カード本体１２の表面には１０枚の導電性シール１８…が粘着剤により貼り付けられており、各導電性シール１８によって対を成す電極１６，１７が電気的に導通する。導電性シール１８…は、例えばアルミ箔のような導電性材料で構成される。
【００１６】
一対の電極１６，１７が導通するときにＩＣチップ１３に入力される信号を「１」とし、一対の電極１６，１７が導通しないときにＩＣチップ１３に入力される信号を「０」とすると、図３（Ａ）に示すように、１０枚の導電性シール１８…が全て貼り付けられた状態の信号は、「１１１１１１１１１１」となる。また図３（Ｂ）に示すように、１０枚の導電性シール１８…のうちの３枚目および６枚目の導電性シール１８，１８を剥がした状態の信号は、「１１０１１０１１１１」となる。また図３（Ｃ）に示すように、１０枚の導電性シール１８…のうちの１枚目、８枚目および９枚目の導電性シール１８，１８，１８を剥がした状態の信号は、「０１１１１１１００１」となる。このように、１０枚の導電性シール１８…うちの任意のものを剥がすことにより、１０ビット、即ち１０２４通りの情報を記憶することができる。つまり、本実施例の電極１６…，１７…および導電性シール１８…は、情報の書き込みおよび読み出しが可能な、簡便なＲＡＭを構成する。
【００１７】
しかして、このＩＣカード１１を読み取り機に接近させることで、アンテナ１４を介して無線で通信を行い、導電性シール１８…の貼付状態に応じた情報を非接触で読み取ることができる。このように、特別のライタを必要とせずに、導電性シール１８…を剥がすだけでＩＣカード１１への情報の書き込みが可能になるため、利便性が大幅に向上する。
【００１８】
このＩＣカード１１を用いれば、同じ特徴を持つものどうしのグルーピング作業が容易になる。例えば、工場で完成した車両の完成検査を行う際に、塗装に不良個所があった車両には１枚目、５枚目および８枚目の導電性シール１８…を剥がしたＩＣカード１１を取り付け、また部品の接合部に隙間に不良個所があった車両には３枚目、６枚目および８枚目の導電性シール１８…を剥がしたＩＣカード１１を取り付けるようにすれば、携帯式のリーダで各々のＩＣカード１１の記憶内容を読み取ることで、同じ不良個所があった車両を容易にグルーピングすることができる。
【００１９】
また家族連れでデパートに出かけるときに、家族の各々のメンバが同じ導電性シール１８…を剥がしたＩＣカード１１を所持しておけば、分かれて単独行動する各々のメンバが自分の所在位置に最も近い端末の読み取り機に自分のＩＣカード１１の記憶内容を読み込ませておくことで、任意の端末から他のメンバの所在位置を瞬時に知ることができる。
【００２０】
次に、図４および図５に基づいて本発明の第２実施例を説明する。
【００２１】
第１実施例のＩＣカード１１は１０枚の導電性シール１８…を備えているが、第２実施例のＩＣカード１１は１枚の導電性シール１８だけを備えている。従って、導電性シール１８を剥がさない状態と、導電性シール１８を剥がした状態とで、「１」および「０」の２種類の信号を記憶することができる。従って、このＩＣカード１１を作業指示書に設けておき、作業が終わったときに導電性シール１８を剥がすと、作業完了の情報を読み取り機に自動的に出力することができる。
【００２２】
以上、本発明の実施例を説明したが、本発明はその要旨を逸脱しない範囲で種々の設計変更を行うことが可能である。
【００２３】
例えば、実施例のＩＣカード１１は１０枚あるいは１枚の導電性シール１８…を備えているが、導電性シール１８…の枚数は任意であり、その枚数を増加させる程記憶可能な情報量を増加させることができる。
【００２４】
また一般にＩＣカードは薄手のものを指し、ＩＣタグは厚手のものを指すが、本発明でいうＩＣカード１１は、薄手のものに限定されずに厚手のものを含むものとする。
【００２５】
また導電性シール１８は全体を導電性材料で構成する必要はなく、電極１６，１７に接触して導通させる部分だけを導電性材料で構成しても良い。
【００２６】
また実施例では導電性シール１８を剥がすことで情報を記憶させているが、逆に導電性シール１８を貼ることで情報を記憶させることができる。
【００２７】
また導電性シール１８を用いる代わりに、導電性のペンで電極１５，１６間に線を引いて回線１５を導通状態にしたり、回線１５の一部を鋏等で切断して導通を遮断したり、簡易なスイッチで回線１５の導通遮断状態を切り替えることも可能である。
【００２８】
【発明の効果】
以上のように請求項１に記載された発明によれば、カード本体の表面に備えられた回線切り替え部の切り替えにより回線の導通遮断状態が切り替えられ、カード本体に内蔵されたＩＣチップは回線の導通遮断状態に応じた信号を読み取り機に送信するので、特別のライタを必要とせずに情報の書き込みが可能になって利便性が大幅に向上する。
【００２９】
また請求項２に記載された発明によれば、カード本体の表面に貼られた導電性シールを剥がすか否かに応じて回線の導通遮断状態が切り替えられ、カード本体に内蔵されたＩＣチップは回線の導通遮断状態に応じた信号を読み取り機に送信するので、特別のライタを必要とせずに導電性シールを剥がすだけで情報の書き込みが可能になって利便性が大幅に向上する。
【００３０】
また請求項３に記載された発明によれば、カード本体の表面に貼られた複数の導電性シールのうちの任意の導電性シールを剥がすと、剥がした導電性シールに対応する回線の導通が遮断され、カード本体に内蔵されたＩＣチップは複数の回線の導通遮断状態に応じた信号を読み取り機に送信するので、特別のライタを必要とせずに導電性シールを剥がすだけで情報の書き込みが可能になって利便性が大幅に向上する。
【図面の簡単な説明】
【図１】ＩＣカードの正面図
【図２】ＩＣカードの表皮を取り除いた状態を示す図
【図３】ＩＣカードの導電性シールを剥がした状態を示す図
【図４】第２実施例に係るＩＣカードの正面図
【図５】ＩＣカードの導電性シールを剥がした状態を示す図
【符号の説明】
１２        カード本体
１３        ＩＣチップ
１４        アンテナ
１５        回線
１６        電極（回線切り替え部）
１７        電極（回線切り替え部）
１８        導電性シール
【図１】
2005038078.tif 000003
【図２】
2005038078.tif 000004
【図３】
2005038078.tif 000005
【図４】
2005038078.tif 000006
【図５】
2005038078.tif 000007